(57)【要約】      （修正有）【課題】タブレットＰＣとノートＰＣ向けの書見台を提供する。【解決手段】タブレット型やノート型のコンピューター端末を載置できる書見台であって、天板１に、可搬ができて端末を介挿して係止する溝Ｍ１、Ｍ２を凹設し、デスク上に下敷きとして置けて、且つ、入力デバイスを載置でき、手帳やノートも広げられてメモや記帳ができる奥行きＬ２は、ノートや手帳やキーボードが載置できる好適な広さに構成する。【選択図】図３
2018092553.tif 000002
【特許請求の範囲】
【請求項１】
タブレット型やノート型のコンピューター端末を載置できる書見台で、可搬ができて端末を係止する溝を１つから複数を凹設し、デスク上に下敷きとして置けて、且つ載置物と共に移動ができる板状に構成されることを特徴とするボード型のタブレットＰＣとノートＰＣ向けの書見台。
【請求項２】
前記に記載のタブレット型端末を一対の凹溝を用いて、当該タブレットの下端を専用カバーの一端を介挿して係止することを特徴とする請求項１記載のタブレットＰＣとノートＰＣ向けの書見台。
【請求項３】
前記書見台の端面の角部が、面取りされていることを特徴とするタブレットＰＣとノートＰＣ向けの書見台。
【請求項４】
前記凹設部が、天面や裏面に配設されることを特徴とするタブレットＰＣとノートＰＣ向けの書見台。
【請求項５】
前記凹設する溝が、タブレット端末の大きさに適して少なくとも１つから一対や複数凹設されることを特徴とするタブレットＰＣとノートＰＣ向けの書見台。
【請求項６】
前記凹設する溝が、作業スペースである平面に隣接することを特徴とするタブレットＰＣとノートＰＣ向けの書見台。
【発明の詳細な説明】
【技術分野】
【０００１】本発明は、タブレット型コンピューター端末（以下タブレット又はタブレットＰＣという）や、画面表示デバイス（以下表示デバイスという）を、画面を斜め上に向けた状態で安定して置くためのタブレットＰＣとノートＰＣ向けの書見台に関するものである。【０００２】本発明は、タブレット型コンピューター端末やノート型コンピューター端末（以下ノートＰＣという）（以下タブレットとノートＰＣを総称してＰＣデバイスという）も載置できて、載置物と共に可搬が可能でＰＣデバイスを安定して操作が行え、ＰＣデバイスの関連装置であるキーボードやトラックパッドやマウス（以下これらを入力デバイスという）も載置でき、移動もできるタブレットＰＣとノートＰＣ向けの書見台に関するものでもある。
【背景技術】
【０００３】コンピュター端末と通信ネットワークが社会の基盤として普及したことにより、場所や時間に縛られない多様な働き方や柔軟な業務形態が広がっている。従来、会社で仕事をする場合は、個人の専用の机（デスク）があり、出勤時間と場所が限られた画一的な勤務形態であった。しかし、コンピュターの普及とＩＣＴ（情報通信技術）やテレコミュニケーション（遠隔情報伝達技術）の一般化により、事務所（オフィス）から離れた遠隔地でもタブレット端末やノートコンピュータ端末とＩＣＴネットワークを介して業務の連携が可能になった。これに伴い勤務形態も変化が望まれ、業務の生産性や効率を高めるために、社員の健康面や情緒も管理し、快適にすることで健康的に働け効率を高まる柔軟性が高い職場の運営形態が望まれている。コンピュータ端末があれば仕事が行えるようになると、場所に特定されずとも業務連携が可能となった。そこで、個人専用の机を廃して、机を共有するフリーアドレス（専有しない机）のオフィス利用が広がっている。紙文書と筆記用具と電話は仕事に欠かせない道具であるが、コンピュータとＩＣＴネットワークの普及で従来の紙文書が電子化され、業務形態や働き場所へも変化が広がり、情況に合わせた業務場所の移動や端末の簡便な持ち運びが望まれている。【０００４】従来、書見台は特定の業務に必要な道具として利用されてきた。ノート冊子や本や譜面などの紙面を見ることや、紙面に記述や署名をするための台として様々な発明や考案がある。さらに、コンピューターの普及に応じて多様な構造の先行技術による書見台があるが、コンピューターの技術変化に伴い新たな用途や構成が望まれている。【０００５】特許文献４（実用新案登録第３００９７８０号）は平面読みと倒立読みが出来る書籍などを載置する書見台であるが、書籍や冊子の紙面を支持板に広げて閲覧物を固定する構造の台である。【０００６】また、特許文献５（特開平５−８０８８１）や特許文献６（特開平７−３６５６６）は、ノートＰＣと紙文書を併用する書見台であり紙文書や電子式文書が混在する技術時期の発明であるが、特許文献４が示す紙へ表示された文書の紙面の閲覧や筆記具で記述するために着想された書見台から、ノートＰＣの普及に伴い、紙文書を閲覧しながらキーボード操作で入力する電子式文書の入力作業に紙文書が補助併用される書見台へ発展した。【０００７】また、特許文献１（意匠登録第１５４９３５６号）は、タブレットとキーボードを組み合わせるスタンド形の書見台でありタブレットへキーボードに依る入力のための構造として、タブレットを立て掛けられ、入力デバイスを凹陥部に据置けるスタンド形を成し、介挿専用の窪みを備えタブレットと入力デバイスを載置できるスタンド状の台が示されているが、タブレット画面の角度が卓上の水平面に対して６０度から５０度程の傾きであるのでタブレット画面へ対した筆記姿勢の入力には不向きである。【０００８】また、特許文献２（実願２０１５−６８４）は、タブレットを立て掛けて支持する棒線材のスタンド器具であるが、ペン入力の姿勢で操作する形式のタブレットに対しては、筆圧によりタブレット画面に加わる荷重に対しての支持には脆弱な構造で難がある。【０００９】また、特許文献３（特願２０１３−２３４４３３）は、ハイテーブルの天板と仕切り壁を利用してタブレットを固定する支持具であるが、天板の水平面から４５度から６０度の範囲でタブレット画面の仰角を成すのでデスク上で筆記姿勢の入力操作には不向きである。【００１０】また、特許文献７（特開平９−７３３４０）は、書見台とキーボードに固定するカバーを組み合わせた構造であるが、カバー状の書見台板部の角度は卓上の水平面に対して６０度から５０度程度の傾きであるのでタブレット画面へ対した筆記姿勢の入力には不向きである。【００１１】また、特許文献８（特開平１１−１１９８８５）は、キーボードに固定するカバーを組み合わせた構造であるが、カバー部に筆圧で加わる荷重を支持する構造がなく難がある書見台である。【００１２】また、特許文献９（実開平６−７５５６）は、クッションの上面に書見台を固定する構造が示されているが、デスクやテーブルで利用する構造ではなく、肉厚なクッション上に設ける書見台は不安定でデスクの卓上面での利用は不向きである。【００１３】上記の特許文献１から９に示した発明は、タブレット画面に筆記姿勢による記述や入力ができる操作に適した書見台ではない。つまり技術進展によりタブレットの端末において紙文書に替わる筆記記述が可能な鉛筆型の画面操作具（以下スタイラスペンという）によって電子式文書へタブレットの端末画面からデジタル署名（デジタル署名とは、コンピューターの表示モニターに表された電子式文書へ、画面から直に記述や入力が可能な操作方法のひとつで、電子式文書に記述する行為のこと）などを行うことには対応できていない。そこで、上記のような課題に応えるためには、筆記入力操作の姿勢に適したタブレットの利便性を向上するためのデジタル署名に適した書見台が必要である。したがって、端末画面へ筆記入力ができるタブレットの普及に応じた、電子式文書へ直接記述が可能なことに好適な構成を成してタブレット画面へ筆記姿勢による記述や入力へ適した書見台が望まれている。さらに書見台で読み書きする物が、紙に替わる情報閲覧の代用が可能な電子式表示部に直接書き込みができる電子式文書の登場で、タブレット端末の画面を適切に支持ができて筆記状態の操作と入力に適したタブレットＰＣとノートＰＣが利用できる構成の書見台が望まれている。
【先行技術文献】
【特許文献】
【００１４】
【特許文献１】意匠登録  第１５４９３５６号
【特許文献２】実願２０１５−６８４
【特許文献３】特願２０１３−２３４４３３
【特許文献４】実用新案登録  第３００９７８０号
【特許文献５】公開特許公報  特開平５−８０８８１
【特許文献６】公開特許公報  特開平７−３６５６６
【特許文献７】公開特許公報  特開平９−７３３４０
【特許文献８】公開特許公報  特開平１１−１１９８８５
【特許文献９】公開実用新案公報  実開平６−７５５６
【発明の概要】
【発明が解決しようとする課題】
【００１５】解決しようとする課題は、書見台が支持する閲覧対象であった紙の書籍や文書資料が、タブレットやノートＰＣに代替表示が可能な電子式文書へ置き換わってきたためと、特にタブレットでは、デジタル署名が可能なスタイラスペンでの記述や描画や入力などの操作が実現し、タブレットの端末画面が紙文書に代替されるうる電子式文書へ署名や記述が可能になったことによる電子式文書の署名が記述しやすい筆記入力に適した書見台を提供することである。【００１６】さらに、様々なＰＣデバイスと表示デバイスと入力デバイスを安定して係止や載置ができる略平面の作業スペースと隣接する係止構造を備え、且つ可搬が簡単なタブレットＰＣとノートＰＣ向けの書見台をも提供することである。【００１７】ところで、近年はＰＣデバイスの多様化と普及に伴い電子式文書での事務が一般化した。反面、依然と紙の文書や電子化にそぐわない筆記具や雑具も同時に用いられている。【００１８】また、ＰＣデバイスの普及による効率化で一時的な仮使用（以下、フリーアドレスという）机のデスクワークが一般化している。そのため、使用者が定まった専用机を利用しない一時的な共有作業（以下、コワーキングという）形式のデスク利用が広まっている。【００１９】しかし、専用のデスクではないフリーアドレス向けデスクの場合、ＰＣデバイスや事務に用いる資料や筆記用具や雑用具を卓上へ仮に広げることになるが、突然に作業の中途状態で席を移す時に、広げた書類やＰＣデバイスや用具を片付けなければならず仕掛りの作業が中断される。さらに、タブレットは略平板状であるので、卓上で様々な紙文書や資料と合わせて利用するときに、紙面がタブレット画面に被い重なると隠れてみえなくなる不都合がありタブレットを立てかける必要がある。【００２０】例えば、特許文献１にあるようなスタンドは、載置できるタブレットや入力デバイスが限られ、また、凹陥部に当てはまらない事務用具は搭載平面が充分でないので安定して載置ができない。さらに、積載物が容易に安定しなく可搬性に乏しく、作業途中に仮設的に利用中の卓上から別の席へ移動する場合は、一旦作業を中断して用具や資料も片付けて移動することになるため作業効率が悪くなる欠点がある。【００２１】また、特許文献２にあるタブレットを立て掛けて支持する棒状のスタンド器具は、スタイラスペンの入力の筆圧によってタブレット画面に加わる荷重に対して、支える支持部は２箇所であり棒状の支持部が撓みに弱く係る荷重に脆弱であり書見台に適さない。【００２２】また、特許文献３にあるハイテーブルに設ける支持具は、タブレットの端末画面の傾きはテーブル天板の水平面から４５度から６０度の範囲のため、特にスタイラスペンの操作で画面に直接記述するデジタル署名の操作姿勢には適さない書見台である。【００２３】また、特許文献５にあるノートＰＣの書見台は、紙文書の原稿をノートＰＣの画面部の背面に固定する書見台へ載置する構造のため、タブレットを書見台板に固定するとスタイラスペンの入力筆圧によってタブレット画面に加わる荷重によりノートＰＣの画面の角度が動いてしまいスタイラスペンの操作筆圧には角度の維持が不都合な書見台である。【００２４】また、特許文献６にあるノートＰＣの書見台は紙文書の原稿を、ノートＰＣの画面部の背面に設けられた支点で接合支持がされているので、タブレットを書見台板に固定するとスタイラスペンの入力筆圧によりタブレット画面に加わる荷重を支えるには脆弱であり、ノートＰＣの画面を入力作業を行う使用者に見やすい角度に合わせると書見台板が併せて動く構造のためスタイラスペンの入力筆圧が加わるタブレット画面操作には不向きな角度姿勢の書見台である。【００２５】また、特許文献７にあるキーボードに固定するカバーを組み合わせた書見台の構造は、書見台部に載置した文書を固定するための書類押圧部が画面に被さりタブレットの端末画面を遮るので、タブレットの画面操作に支障がある。【００２６】本発明は、上記のような課題を解消することを目的としており、具体的にはＰＣデバイスを安定して載置や係止ができ、タブレットをスタイラスペン入力の操作に適した筆記姿勢でも支持ができ、且つ可搬性を有するボード形状でＰＣデバイスをも安定して載置したまま移動ができ、入力デバイスを載置するときにも特定の製品や機種によらず寸法の異なる入力デバイスを載置でき、これらがシンプルかつコンパクトな構造で作製可能なタブレットＰＣとノートＰＣ向けの書見台を提供することも目的とする。【００２７】また、本発明は、表示デバイスやタブレットを視聴する状態で、片手で表示デバイスやタブレットを把持せずに利用できて画面から離れて自由な姿勢で閲覧ができ、使用者がタブレットや表示デバイスを常に手で支持することによる疲労を軽減ができ、可搬性があることで、色々な場所でデバイスの安定した操作や閲覧をも可能になる。【００２８】本発明は、上記のような課題を合わせて解決することも目的としている。
【課題を解決するための手段】
【００２９】本発明は、かかる目的を達成するために、次のような手段を講じたものであり図面も参照して説明する。【００３０】すなわち、本発明の書見台は、図３に示すような板状本体１の使用端１１ａや反使用端１１ｂに、使用端１１ａ面と略平行に天面や裏面に凹設された凹溝Ｍ１と、反使用端１１ｂ面と略平行に天面や裏面のいずれかに凹設された凹溝Ｍ２を両方又は一方が形成され、タブレットや表示デバイスの下端を、図３に示す凹溝部に介挿して係止させるとともに、この板状本体１にＰＣデバイスを載置することができ、構造の異なる大きさや形のＰＣデバイスを定置できる。【００３１】また、タブレットの下端を図３に示す使用端１１ａ面と略平行の凹溝Ｍ１に係止して、図９に示すタブレット下端ＴＢ４−Ｅｇと折りたたみ式タブレット用カバーＳＣ１の短辺向きに折りたたんだカバーの一端のＳＣ１−Ｅｇを、図３に示す反使用端１１ｂ面と略平行の凹溝Ｍ２に介挿することで、図３に示す板状本体１の使用端１１ａから反使用端１１ｂの向きへ高く傾くように、タブレットの画面をデスク卓上面より略２０度から略３０度の角度で上向きに傾斜した状態で架設して係止ができると、スタイラスペンの筆記入力が自然な姿勢で行えて好ましい。【００３２】また、図３に示す凹溝Ｍ１や凹溝Ｍ２は１本で対象物を介挿して使用できるが、一対として凹溝Ｍ１と凹溝Ｍ２を組み合わせて使用することもできるので、タブレットやノートＰＣや筆記用具や雑事務用具の載置や収納を改善する構成へ応用してもよい。【００３３】さらに、図３に示す使用端１１ａの長手向きの左右の両端に延びる使用端１１ａの水平な長手軸線上と略直交する端面１２ａと対向する端面１２ｂは、手で持ち上げるために把持できる構成を設けた把持部であり、これによりＰＣデバイスや表示デバイスや入力デバイスも、更には筆記具や小物も、本発明物の図３に示す板状本体１とともに安定して可搬が可能になるように構成されることも特徴とする。【００３４】上記のような構成であることで、図３と図４と図５に示す凹溝Ｍ１や凹溝Ｍ２や凹溝Ｍ３や凹溝Ｍ４にタブレットを係止することで、タブレットの端末本体を手で把持することなく画面の閲覧や操作を行える。【００３５】また、図３に示す板状本体１の天面は平らで突起部がなくノートＰＣが載置できる広さの作業スペースでもある平面により、ノートＰＣや入力デバイスも安定して載置でき、且つ平らな面なのでＰＣデバイスや入力デバイスを置けるだけでなく事務に用いる書類や資料や筆記用具やコーヒーカップなども安定して載置できる。これは図３に示す板状本体１が平らな面の板形状で使用者が手で把持でき持ち運びできるので、フリーアドレスのデスクで用いるとＰＣデバイスや入力デバイスを安定して載置し作業の状態を維持したまま本発明物と共にデスクからの移動が可能であり、使用中の紙文書資料や手帳や筆記用具も合わせて載置して可搬もできるのでフリーアドレスのデスクでの移動が容易で作業の利便性が向上して好ましい。【００３６】また、図３と図４と図５に示す板状本体１と板状本体２と板状本体３の天面や裏面に凹設された凹溝Ｍ１と凹溝Ｍ２と凹溝Ｍ３と凹溝Ｍ４は、タブレットや表示デバイスを介挿して係止できる幅と深さの溝であり、図３に示す使用端１１ａや反使用端１１ｂのいずれの外向きにも内向きにも画面を傾けて係止できるようにも形成される。また、凹溝は板状本体の作業スペースである天板１の平面Ｔａに隣接して凹設され、しかも板状本体１の長辺や短辺のいずれに設けてもよく、係止するＰＣデバイスの操作に適して配設する。これは、タブレットを使用者へ向けて画面を閲覧することや、使用者に対面する他者へタブレットの画面を向けても係止できることで閲覧画面情報の共有の利便性も向上して好ましい。【００３７】さらに、凹溝の構造は、図３に示した板状本体１の天面や裏面に凹設されてもよく１本から複数本が凹設されてよい。すると、タブレット用のスタンドのようにタブレットを斜倒して係止することや、タブレットを筆記入力に適した姿勢に画面を傾けて凹溝に横架して係止することや、ノートＰＣを略水平に据え置くことや、入力デバイスを安定して載置することを、ひとつの平面で両立でき、様々な大きさや形の載置物のＰＣデバイスを損なわずに安定して置ける平面で構成され、且つ突起部が載置物の安定を損なわないための凹陥部によって、略矩形形状のタブレット端末の画面を斜倒して係止できて且つ載置物の安定が両立できて好ましい。したがって、ＰＣデバイスの大きさと形に好適な支持部を構成するうえで、図３に示す板状本体１の平面Ｔａが平らで凹溝Ｍ１、凹溝Ｍ２の構造が天面より突出しない凹み状の溝でありタブレット端末の大きさと形に合わせて使用端１１ａから適切な距離で、画面が手元操作に好適な位置で１本から複数本を構成してもよい。したがって、画面の大きなタブレットは手元から離れた位置へ、画面の小さなタブレットは手元近くの位置にそれぞれ凹溝部が凹設されれば、複数のＰＣデバイスの大きさや形や構造に応じて係止固定ができ画面の閲覧や操作が容易になる。【００３８】本書見台に入力デバイスとタブレットを併用して載置できる利点は、タブレットと一体に取り付けられる着脱式キーボードの固定部は遊接されて画面との支持が固装されていない物もあり、タブレットと固定されたキーボードの２箇所を把持しないと持ち運べない。しかし、図１１に示すように本発明の構成を用いて、本書見台の上にタブレットを係止してキーボードも載置すると、本書見台を片手でも略水平に把持できて安定して移動もできる。【００３９】加えて、図３に示した板状本体１の載置平面の至端の周縁には、使用端側の天面を損なわないように、三方や四方へ図に明示しない載置物の脱落を防止する段差や側壁や突起が形成されてもよい。【００４０】また、柔軟なコミュニケーションが望まれるコワーキングのデスク環境では、業務のタイミングにあわせた臨機応変な打ち合わせとＰＣデバイスを利用した作業が必要である。さらに、フリーアドレスのデスクは専有して使えないのでＰＣデバイスを簡便にコンパクトに配置できるとデスク上を有効に利用できる。また、ノートＰＣやタブレットを複数併用すると異なるＰＣソフトを画面に割りあてられ、切り替えの煩わしさが解消されてＰＣデバイスの操作効率が向上する。したがって、ＰＣデバイスの多様な大きさや形の構造に応じて係止や載置ができ、且つ作業状態の端末の姿勢を維持しつつ可搬ができ、ＰＣデバイスがコンパクトな作業領域を保持できるとフリーアドレスデスクの利点が高まり好ましい。
【発明の効果】
【００４１】本発明は、上記に説明した構成であるから、タブレットをスタイラスペン入力の操作に適した筆記姿勢で支持ができ、且つＰＣデバイスを安定して載置や係止ができ、さらに、タブレットを同時に複数係止して使用したりノートＰＣと併用して使用したりＰＣデバイスの異なる大きさや形の複数端末を組み合わせて利用でき、また、入力デバイスや表示デバイスや、さらに筆記用具や事務に用いる小物用具を載置や係止をして利用状態を維持したままに可搬ができ、また、卓上が窮屈なときに、本発明の上に置いた物を支持できて本発明の板面の３割りが卓板より突出してはみ出しても重心を維持し安定して載置ができる。また、載置物を安定して可搬もできるので様々な場所のデスクに移動して作業が行えて柔軟性の高いデスクワークが実現できる。したがって、上述した用途を、構成がシンプルで安価に作製可能なタブレットＰＣとノートＰＣ向けの書見台を提供することによって、柔軟なミーティングやＰＣデバイスの利用が必要なコワーキングの打ち合わせや、フリーアドレスのデスクで作業スペースの確保と移動と作業性の維持や向上ができる。
【図面の簡単な説明】
【００４２】
【図１】本発明の一実施形態の書見台の卓上での使用状態の一例を示す図。
【図２】同書見台の使用状態の一例を示す図。
【図３】同書見台を構成する一例を示す斜視図。
【図４】同書見台を構成する一例を示す斜視図。
【図５】同書見台を構成する一例を示す斜視図。
【図６】同書見台の使用状態の一例を示す斜視図。
【図７】同書見台の使用状態の一例を示す斜視図。
【図８】同書見台の使用状態の一例を示す斜視図。
【図９】同書見台の使用状態の一例を示す斜視図。
【図１０】同書見台の使用状態の一例を示す側面図。
【図１１】同書見台の使用状態の一例を示す斜視図。
【図１２】同書見台の使用状態の一例を示す斜視図。
【図１３】特定タブレット端末の外観を示す斜視図。
【図１４】特定タブレット端末の外観を示す斜視図。
【図１５】特定タブレット端末の外観を示す斜視図。
【発明を実施するための形態】
【００４３】以下も、本発明の実施形態を、図面を参照して説明する。
【００４４】図１や図２は、本発明の実施形態のタブレットＰＣとノートＰＣ向けの書見台の使用状態を示している。本書見台は、例えば、オフィス内のテーブルやデスクＤＫ１や椅子Ｃｈ１がある場所で、卓上や人が着座した姿勢の両膝上の両大腿部に載置して利用もでき、図６に示すＰＣデバイスの画面を傾斜して係止して載置したり、入力デバイスや表示デバイスを安定して本書見台の作業スペースとしての板面上に載置して使用したり、デスクＤＫ１の卓上や椅子Ｃｈ１へ着座した状態の両大腿部上に載置して、フリーアドレスのオフィスでコワーキングの作業を効率的に行える。また、本書見台とともに、載置したＰＣデバイスや業務小物用具やスマートフォンも、人が簡易に持ち運べることによって、席のすみやかな移動や移設が可能になる。
【００４５】図２や図１に示すように、タブレットＰＣとノートＰＣ向けの書見台の板状本体３は人が両手で持ち運びが容易で、ＰＣデバイスやタブレットＴＢ１を係止や載置をして、筆記具や事務資料や手帳やノートＮＴ１なども載置できるので、フリーアドレスのデスクでも移動や移設が簡易に行えて、インターネットブラウジングや端末の操作入力の途中でも作業状態を維持して中座や移動が可能になる。
【００４６】本発明のようなタブレットＰＣとノートＰＣ向けの書見台の構成は、図３に示すように、タブレットＰＣとノートＰＣ向けの書見台の天板１は、横の幅Ｌ１は人の肩幅寸の大きさから両手で把持できる横幅の長さで、奥行きＬ２の距離は横の幅Ｌ１より短く形成したもので、天板１は略矩形な板状を成し、天板１は平滑な面の一部に、図３に示す凹溝を１本から複数本を設けてタブレットを介挿して係止する。そして、板状本体１はタブレットを傾斜して固定できる深さの溝である凹溝Ｍ１や凹溝Ｍ２を設けられる厚さで、デスク上に下敷きとして置けて邪魔にならない厚みＬ３を成している。
【００４７】少なくとも図５に示す天板３の作業スペースに隣接して１つの凹設された凹溝Ｍ４で構成されるとＰＣデバイスを載置や係止ができ、業務小物用具も載置が可能になる。
【００４８】図３に示した、凹溝Ｍ１や凹溝Ｍ２は１つから複数を凹設してもよく、凹溝同士の距離を奥行きＬ７で形成するとき、タブレットのカバーの一端と、タブレットの下端を２つの凹溝で好適に架設できる位置に設けることもできる。
【００４９】図３に示した、凹溝Ｍ１や凹溝Ｍ２は、タブレットを天板１の奥側の反使用端１１ｂ側の凹溝Ｍ２に係止して、凹溝に隣接した天板の平面Ｔａを奥行きＬ７の距離の作業スペースを設けることで、入力デバイスを載置でき、手帳やノートも広げられてメモに記帳ができる。また、奥行きＬ７の距離は、ノートや手帳やキーボードが載置できる好適な広さの作業スペースにする。また、凹設した凹溝Ｍ１を天板１の手前側に設けた場合には、図８に示すようにタブレットの端末画面を直接フリックやタップ（指で画面のグラフィカルユーザーインタフェースをスクロールしたりボタンの選択をする操作のこと）ができる。
【００５０】さらに、図８に示すように本書見台の手元側にタブレット端末ＴＢ２を凹溝Ｍ１に係止すると、マルチメディアの端末の画面操作が手元でおこなえムービーの視聴も簡易にできる。
【００５１】また、図３に示した本書見台の天板１に凹溝を複数本凹設すると、大きさが違うタブレット端末をサイズに合わせて凹溝を好適な位置で介挿架設して利用でき、寸法が異なる溝も併設できるので、端末の寸法が異なっても好適に架設や係止ができる。さらに、利用者が目線にあわせて写り込みの反射を避けて見やすくなるように介挿する凹溝を選びタブレットを係止もできて、利用者の姿勢や体格に合わせて見やすい位置で端末を支持できる。
【００５２】図６に示すように、本書見台の天板３の天板面は、平らな平滑面で天板面から突出する構造物がないことで、書見台板として手帳やノートＮＴ２を平に広げて筆記もできる。
【００５３】さらに、図７に示すようにノートＰＣｐｃ１も安定して載置できる。また、図１２に示すように天板５の長手の寸法を広くすると、作業スペースの平面４Ｔａ−２にノートＰＣを載置して、凹溝Ｍ２−２にタブレットを係止して、ノートＰＣとタブレットを並列併用して操作できるので、各端末に作業を分けて業務ソフトを使い分けられ事務作業の効率を改善できる。
【００５４】図７に示すように、天板４にノートＰＣｐｃ１も載置して利用でき、図３に示した横の幅Ｌ１や奥行きＬ２を、図７に示すようにＰＣデバイスより幅広くすることで、横の幅ＬＸ１と奥行きＬＸ２にマウスの操作スペースを天板４の平面４Ｔａに設けられ、マウスＭＣ１を用いてＰＣデバイスを操ることができてノートＰＣの操作効率が向上する。
【００５５】また、図１１に示すように入力デバイスであるキーボードＫＢ１や、図７に示すようにマウスＭＣ１やトラックパッドを載置して併用できるので、タブレットの画面から入力するキーボード操作やフリックやタップの操作では指先以外が触れて誤動作することもあり、入力が確実な操作器具のマウスやトラックパッドや外付けキーボードを使えると入力作業の効率が向上する。
【００５６】また、図４に示すように、天板２の外周端面が面取り面ＣＦ１のように角面取りがなされてもよく、デスクの卓上平面から略４５度から略６０度の端面の傾斜によって、天板２の平面２Ｔａと面取り面ＣＦ１が交わる角部ＥＤ１は、角として略直交せず鋭利な角部をなさないので、手の平が角に圧迫されず接触の不快感が軽減され、キーボードの入力操作や筆記作業時の手の平の角あたりの状態を快適にして良好な使用感となる。また、角面取りの斜面は曲面であってもよい。また、角面取り部は本書見台の裏表を裏返したときには把持部の役割も成す。
【００５７】また、本書見台は、図３に示した天板１面と図４に示した天板２面は対向する平板で一体に構成してもよく、この両面には、それぞれ図４に示した凹溝Ｍ３を天板２面に設け、天板１面に凹溝Ｍ１を設けて、天板１面と天板２面の裏表の両方にタブレットを係止する溝を凹設することもできる。このようにすることで、機種によって異なるタブレット端末の大きさや厚みに幅広く対応もできる。
【００５８】また、図８に示すように本書見台の天板１に凹溝を複数本凹設すると、本書見台を挟んだ複数の利用者が、タブレットＴＢ２やタブレットＴＢ３を天板１の短手で向かい合わせてタブレットを閲覧できるようにも係止できる。また、凹溝はタブレットを複数並列して介挿することもでき、一列位置にＰＣデバイスの寸法に適した溝が間仕切りされて凹設してもよい。
【００５９】図９と図１０に示すように、タブレットＴＢ４を２つの凹溝を用いて固定すると、スタイラスペンＳＰＣ１で入力操作ができる特定機種の端末タブレットＴＢ４（具体的には、図１３に示すタブレット本体に折りたたみ式のタブレット用カバーＳＣ１ｘが取り付く構造の端末）の操作が好適となる。したがって専用のタブレット用カバーＳＣ１（具体的には、図１５に示すタブレット用カバーＳＣ１であり、カバーの短手に３つ折りに畳める構造の画面カバー）の折畳み状態のＳＣ１ａの構成を利用して、図９で示したタブレット下端ＴＢ４−Ｅｇを、図３に示す天板１の手元の使用端１１ａ側の凹溝Ｍ１に係止し、タブレットの専用カバーＳＣ１を三つ角に折り畳んだ一端のＳＣ１−Ｅｇを、奥側の反使用端１１ｂ側に配した凹溝Ｍ２に介挿して係止すると、使用者の向きにタブレット画面の角度を天板１の略平面から略２０度から略３０度に起こしてタブレットの端末を架設できる。またタブレットを架設して固定する凹溝同士の距離は、タブレット端末の画面短手のサイズに合わせて好適な位置に設ける、そのため図３で示した凹溝同士の距離の奥行きＬ７は、タブレットの機種にあわせて好適な位置に配する。
【００６０】また、凹設する凹溝はＰＣデバイスを介挿して斜倒して係止ができる幅と深さの溝であるが、介挿する対象のＰＣデバイス端末の厚みや幅に適して構成する。また、溝の内側の両壁は天板の面に対して垂直な面で構成され溝の底面は天板面に対して水平な面や、または曲面で構成されてもよい。また、溝の内側の壁は溝の開口部から垂直な壁面でもよいが、開口部から斜設された壁面であってもよい。また、溝開口部と内壁が交差する角部には、介挿物を保護する構成をも付与できる。
【００６１】また、タブレットの端末を支える支持構造物を凹溝に係止することもできる。さらに凹溝にその他のメモを係止する構造をも付与できる。
【００６２】また、机の上や間仕切り壁などの空間構成物へ板状本体を固装や仮設ができる構成をも付与できる。
【００６３】また、さらに本発明の実施形態は、木製、メラミン樹脂製、金属製、他樹脂製のものであってよい。
【００６４】また、図１から図１２までに示した本書見台は、略矩形であってもよいがデスクで作業することに支障を及ぼさない範囲の形状であってもよく、本発明の趣旨を逸脱しない範囲の変形は可能である。
【００６５】その他の構成も、本発明の趣旨を逸脱しない範囲で種々の変形が可能である。
【符号の説明】
【００６６】１、２、３、４、５・・・    天板、又は板状本体
ＴＢ１、ＴＢ２、ＴＢ３、ＴＢ４、ＴＢ３−１  ・・・タブレット端末（又はタブレットやタブレットＰＣ）
ｐｃ１、ｐｃ１−２、ＰＣ１・・・  ノート型コンピューター端末（又はノートＰＣ）
ＳＦ１  ・・・  スマートフォン
ＭＣ１  ・・・  マウス
ＳＰＣ１  ・・・  タブレット用ペン（又はスタイラスペン）
ＫＢ１  ・・・  キーボード
ＰＣＸ１、ＰＣＸ３  ・・・  ペン
ＮＴ１、ＮＴ２  ・・・  ノート
ＳＣ１、ＳＣ１ｘ、ＳＣ１ｘ２  ・・・  タブレット用カバー
ＣＰ１、ＣＰ２  ・・・  カップ
ＤＫ１  ・・・  デスク
Ｃｈ１  ・・・  椅子
ＨＭ１、ＨＭ２  ・・・  人
Ｌ１、Ｌ５、Ｌ６、ＬＸ１・・・  幅
Ｌ２、Ｌ７、ＬＸ２・・・  奥行き
Ｌ３  ・・・  厚み
Ｍ１、Ｍ２、Ｍ３、Ｍ４・・・  凹溝
Ｔａ、２Ｔａ、４Ｔａ、４Ｔａ−２  ・・・  平面
ＣＦ１  ・・・  面取り面
ＥＤ１  ・・・  角部
ＴＢ４−Ｅｇ  ・・・  タブレット下端
ＳＣ１ａ、ＳＣ１ｘ３  ・・・  タブレットカバー折り畳み状態
ＳＣ１−Ｅｇ    ・・・  タブレットカバー折り畳み角
１１ａ  ・・・  使用端
１１ｂ  ・・・  反使用端
１２ａ  ・・・  端面
１２ｂ  ・・・  端面
【図１】
2018092553.tif 000003
【図２】
2018092553.tif 000004
【図３】
2018092553.tif 000005
【図４】
2018092553.tif 000006
【図５】
2018092553.tif 000007
【図６】
2018092553.tif 000008
【図７】
2018092553.tif 000009
【図８】
2018092553.tif 000010
【図９】
2018092553.tif 000011
【図１０】
2018092553.tif 000012
【図１１】
2018092553.tif 000013
【図１２】
2018092553.tif 000014
【図１３】
2018092553.tif 000015
【図１４】
2018092553.tif 000016
【図１５】
2018092553.tif 000017